(57)【要約】   【課題】固形物によるトラップ詰まりを防止する便器装置を提供する。  【解決手段】便器装置１１のボウル１４の下部に排水口２０が設けられ、排水口２０は水平状態の短管２１に連結される。用便後に洗浄水Ｐによってボウル１４の洗浄をすると、固形物Ｋは洗浄水Ｐに運ばれて排水口２０から排出される。ボウル１４から短管２１に亘る流路は管内抵抗を極力減らして固形物をスムーズに流すために概ね流線型に連結されているが、排水口２０の上縁部Ｑ１と両側縁部Ｑ２の領域における周縁部２０ａは短管２１に対して直角の角状２０ｂに形成される。角状２０ｂの形成領域は排水口２０の上縁部Ｑ１と両側縁部Ｑ２で排水口２０の上半分の領域である。角状２０ｂのボウル１４の内面１４ａからの突出高さＨは１ｍｍ〜５ｍｍの範囲で設けられる。  【選択図】図２
2008291647.tif 000002
【特許請求の範囲】
【請求項１】
ボウル面及び排水管が樹脂で一体形成された便器装置であって、
便器本体のボウル面に設けられる排水口の周縁部の排水管との連結部分が、固形物が破砕されるよう角状に形成されることを特徴とする便器装置。
【請求項２】
請求項１に記載の便器装置であって、前記排水口が水平面に対して傾斜して設けられ、前記角状に形成される排水口の周縁部の排水管との連結部分は前記排水口の上縁部と両側縁部の領域であることを特徴とする便器装置。
【請求項３】
請求項２に記載の便器装置であって、前記角状に形成される上縁部が水平に形成されることを特徴とする便器装置。
【発明の詳細な説明】
【技術分野】
【０００１】
本発明は、便器装置に関し、用便後に大便（固形物）によるトラップ詰まりを防止する技術に関する。
【背景技術】
【０００２】
従来、特許文献１によれば、図５に示すように、便器装置１はボウルの中央部よりも上方のボウル上部２と、リム部３、台座部４が陶器にて一体形成される。この陶器製のボウル上部２の下端面は平坦面であり、トラップユニット５と係合するフランジ部９が設けられる。
【０００３】
トラップユニット５は、ボウル下部６、トラップ部７及び排水路８が合成樹脂製で一体形成される。トラップユニット５は上面と下面が水平であり、内部を貫通するようにトラップ部７及び排水路８が形成されている。
【０００４】
ボウル下部６はトラップユニット５の上面に開放し、排水路８の終端部分はトラップユニット５の底面に開口している。トラップユニット５は接着剤にてボウル上部２の下端面に接着される。
【０００５】
このように、便器装置１においては、ボウル下部６よりも下流側の複雑な形状部分に合成樹脂が使用されるので、金型成形等でこの部分の寸法精度を容易に高めることができる。このため、排水路等の内面が平滑になり通水抵抗が小さくなるのでトラップ詰まりの防止ができる。
【特許文献１】実公平７−２８２２６号公報
【発明の開示】
【発明が解決しようとする課題】
【０００６】
ところが、特許文献１の便器装置では、陶器製と合成樹脂製の二種類の部分で形成されるので、製作工程が複雑でコストアップに繋がるという問題があった。また、排水口の周縁部がアール形状で固形物が長く多量の場合に詰まるという問題があった。
【０００７】
そこで、本発明は安価で簡単な構成により固形物の流れを円滑にしてトラップ詰まりを防止する便器装置を提供することを目的とする。
【課題を解決するための手段】
【０００８】
請求項１の発明は、ボウル面及び排水管が樹脂で一体形成された便器装置であって、便器本体のボウル面に設けられる排水口の周縁部の排水管との連結部分が、固形物が破砕されるよう角状に形成されることを特徴としている。
【０００９】
請求項２の発明は、請求項１に記載の便器装置であって、前記排水口が水平面に対して傾斜して設けられ、前記角状に形成される排水口の周縁部の排水管との連結部分は前記排水口の上縁部と両側縁部の領域であることを特徴としている。
【００１０】
請求項３の発明は、請求項２に記載の便器装置であって、前記角状に形成される上縁部が水平に形成されることを特徴としている。
【発明の効果】
【００１１】
請求項１の発明によれば、便器本体のボウル面に設けられる排水口の周縁部の排水管との連結部分が、固形物が破砕されるよう角状に形成されるので、角状に尖った周縁部によって固形物が容易に切られて破砕することができるので、固形物を洗浄水とともに容易に排出させることができる。このため、安価で簡単な構成により固形物の流れを円滑にできてトラップ詰まりを防止することができる。
【００１２】
前記角状に形成される部分によって排水口の周縁部に渦乱流が発生する。このため、周縁部がボウル面から連続的に流線型に形成されて洗浄水が層流である場合に比べると、固形物が排水口に流れ込む際に前記角状に形成される部分に沿って巻き込まれて衝突し破砕する確率が増加するので、トラップ詰まりをさらに効果よく防止することができる。
【００１３】
請求項２の発明によれば、前記排水口が水平面に対して傾斜して設けられ、前記角状に形成される排水口の周縁部の排水管との連結部分は前記排水口の上縁部と両側縁部の領域であるので、上縁部と両側縁部の領域に固形物が衝突するとともに、前記排水口の下縁部は流線形なので概ね全体としての洗浄水の流速を損なわない状態が保てる。
【００１４】
このため、固形物が前記角状に形成される部分に衝突するとともに洗浄水の排出効果を変えずに、請求項１の発明の効果と同様の効果が得ることができる。
【００１５】
請求項３の発明によれば、前記上縁部が水平に形成されるので、円弧状の前記周縁部の形状に比べてさらに顕著に前記周縁部に渦乱流が発生するので、請求項１の発明の効果と同様の効果を確実に得ることができる。
【発明を実施するための最良の形態】
【００１６】
以下に、本発明の第１の実施形態を図１〜図３に基づいて説明する。
【００１７】
＜便器装置の構成＞  
図１、図２、図３に示すように、本発明の実施形態における便器装置１１は便器本体１２がスカート部１３とボウル１４とリム部１５とから成り、ヒンジ式の便座１６と便蓋１７を備える。
【００１８】
ボウル１４の下部には排水口２０が設けられ、排水口２０は水平状態の排水管としての短管２１に連結され、この短管２１は図示しないトラップを経由して下水管に導かれる。
【００１９】
そして、使用者は用便後に洗浄水Ｐによってボウル１４の洗浄をすると、固形物Ｋは洗浄水Ｐに運ばれて排水口２０から排出される。
【００２０】
ここで、ボウル１４から短管２１に亘る流路は管内抵抗を極力減らして固形物をスムーズに流すために概ね流線型に連結されているが、排水口２０の周縁部２０ａにおける上縁部Ｑ１と両側縁部Ｑ２の領域は短管２１に対し直角の角状２０ｂに形成される。詳しくは、便器本体１２のボウル１４の内面１４ａに設けられる排水口２０の周縁部２０ａの短管２１との連結部分が、固形物が破砕されるように角状２０ｂに形成される。
【００２１】
より詳しくは、上縁部Ｑ１と両側縁部Ｑ２は、排水口２０の上半分の領域である。
【００２２】
角状２０ｂのボウル１４の内面１４ａからの突出高さＨは１ｍｍ〜５ｍｍの範囲で設けられる。そして、角状２０ｂはボウル１４と短管２１と共に樹脂や陶器で一体形成される。
【００２３】
＜便器装置の作用＞
上記、排水口２０の周縁部２０ａがボウル１４と直角に形成された角状２０ｂを有するので、固形物Ｋが排水口２０に流れ込む際に固形物Ｋを角状２０ｂに衝突させて砕くことができる。
【００２４】
さらに、角状２０ｂの近傍では渦乱流が発生するので、固形物Ｋが排水口２０に流れ込む際に渦乱流に巻き込まれて角状２０ｂに衝突し易くなる。
【００２５】
このため、衝突のショック及び直角の角状２０ｂによって容易に固形物Ｋを破砕することができるので、固形物Ｋを容易に排出させることができる。
【００２６】
また、角状２０ｂを形成するだけの単純な構成なのでコストアップしないでトラップ詰まりが防止できるという大きな効果が得られる。
【００２７】
＜第２の実施形態＞  
本発明の第２の実施形態を図４に基づいて説明する。なお、第２の実施形態の便器装置の構成は図１〜図３に示す第１の実施形態の構成とは全く同じであるため、その説明および図面を省略する。
【００２８】
図４に示すように、角状２０ｂは排水口２０の上半分の領域である上縁部Ｑ１と両側縁部Ｑ２の領域に形成され、上縁部Ｑ１は水平に形成される。
【００２９】
上縁部Ｑ１は周縁部２０ａの他の領域よりも排水口２０の内部側に迫出しているので渦乱流が発生しやすいことに加えて、上縁部Ｑ１は水平に形成されるため洗浄水Ｐがさらに衝突し易くなるので渦乱流が強く発生する。このため、固形物Ｋが角状２０ｂである水平の上縁部Ｑ１により強く衝突して破砕するので固形物Ｋを効果的に破砕することができる。
【００３０】
以上、本発明の実施例を図面に基づいて説明したが、具体的な構成はこの実施例に限られるものではなく本発明の要旨を逸脱しない範囲の設計変更等があっても本発明に含まれる。
【００３１】
たとえば、排水口２０の上縁部Ｑ１と両側縁部Ｑ２の合計領域は排水口２０の上半分の領域に拘らず、ボウルの形状等を考慮してその領域範囲を適切に定めることができる。
【００３２】
排水口２０の周縁部２０ａのボウル１４の内面１４ａに対する角状２０ｂの角度は直角以外の角度でも構わない。
【００３３】
ボウル１４の内面１４ａからの角状２０ｂの突出高さＨは１ｍｍ〜５ｍｍの範囲に拘らず便器の種類や大きさに基づいて設定できる。
【００３４】
角状２０ｂは周縁部２０ａにおいて連続ではなく断続的に形成することもできる。
【図面の簡単な説明】
【００３５】
【図１】本発明の第1の実施形態における便器装置の斜視図である。
【図２】本発明の第1の実施形態における便器装置の、図１における便器本体のＡ−Ａ断面図である。
【図３】本発明の第1の実施形態における便器装置の、図２におけるＣ−Ｃ断面図である。
【図４】本発明の第２の実施形態における便器装置の、排水口２０の断面図である。
【図５】従来の便器装置の便器本体の断面図である。
【符号の説明】
【００３６】
１１  便器装置
１４  ボウル
１４ａ  内面
２０  排水口
２０ａ  周縁部
２０ｂ  角状
２１  短管
Ｐ  洗浄水
Ｋ  固形物
Ｑ１  上縁部
Ｑ２  側縁部
Ｈ  突出高さ
【図１】
2008291647.tif 000003
【図２】
2008291647.tif 000004
【図３】
2008291647.tif 000005
【図４】
2008291647.tif 000006
【図５】
2008291647.tif 000007